(57)【要約】【課題】法面の状態に応じて柔軟に対応しながら簡単に適切な階段を形成できるようにする。【解決手段】法面１３に対して直接又は間接に１個ずつ固定される法面ステップ１１において、踏み面３１ａを有する踏み板部３１の下方に、固定のための固定部３２を備える。そして踏み板部３１と固定部３２の間に、これらのなす角度を調節して法面１３に対する踏み面３１ａの角度を所望の角度に保つ角度可変保持部３３を備える。このような法面ステップ１１を並べて、法面階段１２を形成する。【選択図】図１
2019019485.tif 000002
【特許請求の範囲】
【請求項１】
法面に対して直接又は間接に固定される法面ステップであって、
踏み面を有する踏み板部の下方に、前記固定のための固定部を備え、
前記踏み板部と前記固定部の間に、これらのなす角度を調節して法面に対する前記踏み面の角度を保つ角度可変保持部を備えた
法面ステップ。
【請求項２】
前記角度可変保持部と前記固定部は、機能上独立しているものである
請求項１に記載の法面ステップ。
【請求項３】
前記角度可変保持部が、前後方向の角度を変更可能な一方向可変保持部である
請求項１または請求項２に記載の法面ステップ。
【請求項４】
前記一方向可変保持部が、互いに対向して横方向に延びる枢支軸を中心に相対回転する複数の垂直支持板を備え、
前記垂直支持板には、前記枢支軸を中心とする同心円上に前記踏み板部と前記固定部を必要な角度にしたときに合致する複数の調節穴が形成されるとともに、
合致させた前記調節穴に挿入する固定軸を備えた
請求項３に記載の法面ステップ。
【請求項５】
前記角度可変保持部が、前後方向及び左右方向の角度を変更可能な全方向可変保持部である
請求項１または請求項２に記載の法面ステップ。
【請求項６】
前記全方向可変保持部が、前記踏み板部の下端部に形成され、上下方向に延びる支持軸部を通す貫通穴を有した水平支持板と、
前記水平支持板の上下に配置されるとともに前記支持軸部に固定される一組の自在締結具で構成され、
前記自在締結具が、前記水平支持板に当接する当接面と半球状の凸球面を有する座金部材と、前記支持軸部の直径よりも大径の貫通穴を有し前記凸球面に沿って摺動する環状の介装部材と、前記支持軸部に螺合して前記介装部材と前記座金部材を前記水平支持板に対して締め付けるナット部材で構成された
請求項５に記載の法面ステップ。
【請求項７】
前記固定部が法面に接触状態で固定されるものである
請求項１から請求項６のうちいずれか一項に記載の法面ステップ。
【請求項８】
前記固定部が法面上に固定された階段軸に固定されるものである
請求項１から請求項６のうちいずれか一項に記載の法面ステップ。
【請求項９】
前記踏み板部の下部に、水平方向に突出して上下方向に延びる軸部材を取り付け可能な軸取付け部材を備える
請求項１から請求項８のうちいずれか一項に記載の法面ステップ。
【請求項１０】
前記軸部材が、下方に延びて法面に挿入される固定杭部、又は上方に延びて上端部が手摺となる手摺軸部のうち少なくとも一方を有する
請求項９に記載の法面ステップ。
【請求項１１】
請求項１から請求項１０のうちのいずれか一項に記載の法面ステップを配設した
法面階段。
【発明の詳細な説明】
【技術分野】
【０００１】
この発明は、法面に階段を形成するための法面ステップに関し、より詳しくは、ワンステップずつ設置可能な法面階段に関する。
【背景技術】
【０００２】
法面階段としては、下記特許文献１に開示されたものがある。これは、プレハブ式階段であって、複数のステップ部材を連結して構成されるものである。つまり、ステップ部材は踏み板と、この踏み板の踏み面に対して垂直の蹴上げ板を有しており、法面階段は、踏み板の先端部に蹴上げ板の下端と連結して構成されるとともに、法面に対して鋼棒を用いて固定される。
【０００３】
このような構成の階段は、ステップ部材同士を連結しなければならないため、設置に際して自由度が低かった。たとえば法面の形や角度に対応させることが難しい場合や、設置場所の一部に条件の悪い場所があってもそれを避けられない場合などには、法面を加工するなど別途の作業が必要となる。
【先行技術文献】
【特許文献】
【０００４】
【特許文献１】登録実用新案第３１８４１８３号公報
【発明の概要】
【発明が解決しようとする課題】
【０００５】
この発明は、法面の状態に応じて簡単に階段を形成できるようにすることを主な目的とする。
【課題を解決するための手段】
【０００６】
そのための手段は、法面に対して直接又は間接に固定される法面ステップであって、踏み面を有する踏み板部の下方に、前記固定のための固定部を備え、前記踏み板部と前記固定部の間に、これらのなす角度を調節して法面に対する前記踏み面の角度を保つ角度可変保持部を備えた法面ステップである。
【０００７】
この構成の法面ステップは１つずつ固定することが可能であり、踏み板部と固定部の間の角度可変保持部が、踏み板部と固定部の間の角度を適宜変更して、法面の状態に応じて踏み面を所望の姿勢に保持する。
【発明の効果】
【０００８】
この発明によれば、法面の条件が悪くても簡単に階段を形成できる。
【図面の簡単な説明】
【０００９】
【図１】法面ステップと法面階段の概略構成図。
【図２】一例に係る法面階段の側面図。
【図３】図２に示した法面ステップの斜視図。
【図４】図２に示した法面ステップの分解斜視図。
【図５】一方向可変保持部の分解状態の正面図。
【図６】一方向可変保持部の角度変更状態の正面図。
【図７】図２の一部拡大図。
【図８】図２に示した法面ステップの側面図。
【図９】一方向可変保持部の分解状態の正面図。
【図１０】一方向可変保持部の角度変更状態の正面図。
【図１１】図５に示した一方向可変保持部と図９に示した一方向可変保持部を持たせた角度可変保持部の分解状態の正面図。
【図１２】図１１の角度可変保持部を組み込んだ法面ステップの分解斜視図。
【図１３】図１２の法面ステップの側面図。
【図１４】図１２の法面ステップの側面図。
【図１５】他の例に係る法面ステップの側面図。
【図１６】他の例に係る法面ステップの側面図。
【図１７】階段部材の連結態様を示す側面図。
【図１８】階段部材の連結態様を示す側面図。
【図１９】固定部の他の例を示す斜視図。
【図２０】一例に係る法面階段の側面図。
【図２１】図２０の踏み板部の片側断面平面図。
【図２２】図２０の法面ステップの分解状態を示す一部断面正面図。
【図２３】図２０の支持軸部の横断面図。
【図２４】全方向可変保持部の分解斜視図。
【図２５】座金部材と介装部材の作用を示す断面図。
【図２６】軸取付け部材を備えた例を示す踏み板部の平面図。
【図２７】軸取付け部材を備えた例を示す側面図。
【図２８】軸取付け部材を備えた例を示す側面図。
【図２９】他の例に係る踏み板部の片側断面平面図。
【図３０】階段軸の他の固定態様を示す側面図。
【図３１】他の例に係る法面ステップの側面図。
【発明を実施するための形態】
【００１０】
この発明を実施するための一形態を、以下図面を用いて説明する。
【００１１】
図１は、法面ステップ１１と、これを用いた法面階段１２の概略構成図である。法面ステップ１１は、金属などの剛性の高い材料で構成されており、法面１３に対して直接又は間接に１個ずつ固定可能なものである。法面ステップ１１は、踏み板部３１の下方に、固定のための固定部３２を備え、踏み板部３１と固定部３２の間に、これらのなす角度を調節して法面１３に対する踏み板部３１の踏み面３１ａの角度を保つ角度可変保持部３３を備えている。
【００１２】
踏み板部３１は、人体の片足又は両足が乗る大きさの板状であり、上面が踏み面３１ａである。踏み面３１ａには滑り止め等のために適宜の凹凸や軽量化等のための適宜形状の切り欠きが必要に応じて形成される。踏み板部３１の踏み面３１ａより下には、下方へ延びて踏み面３１ａを支える垂下部３１ｂが形成されている。
【００１３】
固定部３２は、法面１３又は法面１３に添わせた適宜の部材に固定されるもので、固定対象に応じて、例えば嵌合構造、アンカーボルトを利用した締結構造、差し込み構造などで適宜形成される。
【００１４】
角度可変保持部３３は、前後方向の角度を変更可能な一方向可変保持部３３ａ（図２参照）か、前後方向及び左右方向の角度を変更可能な全方向可変保持部３３ｂ（図２０参照）とすることができる。ここで、「前後方向」とは、法面階段１２を昇降する者にとっての進行方向を指す。角度可変保持部３３は、角度変更可能な継手と角度固定構造などで構成できる。
【００１５】
この角度可変保持部３３と前述の固定部３２は、機能上独立しているものであるのが好ましい。機能上独立とは、角度を変更可能かつ保持する機能を有する角度可変保持部３３と、法面１３等に固定する機能を有する固定部３２が、一方の機能を発揮する時に他方が影響を受けないことをいう。つまり、固定部３２を固定するときに角度可変保持部３３を何らかの状態にしなければならないとか、角度可変保持部３３を操作するときに固定部３２を特定の状況に置かなければならないとかいうような機能上互いに影響を受けることがない状態である。このように構成すると、固定部３２の固定と角度可変保持部３３の操作が別々に行え、たとえば固定部３２を固定してから角度可変保持部３３の操作を行ったり、逆に角度可変保持部３３の角度を決めてから固定部３２の固定を行ったりできるので、状況に応じて作業が容易かつ確実に行えることになる。
【００１６】
このような法面ステップ１１について、以下、より具体的に説明する。
【００１７】
まず、図２に示したように固定部３２が法面１３上に添わせて固定された部材に固定されるものであるとともに、角度可変保持部３３が一方向可変保持部３３ａである例を説明する。法面１３に添わせた部材は、長尺の角形鋼管からなる階段軸１４であり、図示したようなアンカーボルト１５を利用した締結構造や図示しない挿入構造などで適宜固定される。階段軸１４としてはあらかじめ所定長さのものを用意しておき、現場の状況に合わせて必要な長さの階段軸１４を継ぎ足したり、場合によっては切断したりして使用する。
【００１８】
図３に法面ステップ１１の斜視図を示す。この図に示すように法面ステップ１１の踏み板部３１は、上面に踏み面３１ａを有する平面視長方形板状の板材３５と、この板材３５の下面の中央部に形成された前述の垂下部３１ｂを備えている。垂下部３１ｂは短冊形をなす板状である。垂下部３１ｂの向きは、板材３５の短辺と平行にのびる向きである。この例では、板材３５の短辺が伸びる方向、換言すれば板材３５を横ながの長方形とみる方向が前後方向であり、角度可変保持部３３で角度変更する方向である。垂下部３１ｂの向きを水平方向に９０度回転して、板材３５を縦長に使用するように構成してもよい。この場合には、板材３５の長辺が伸びる方向が前後方向となる。板材３５は、平面視長方形以外の形状、たとえば正方形や円形、長円形などであってもよい。
【００１９】
板材３５の裏面にはリブ３５ａが形成され、板材３５と垂下部３１ｂを補強している。また、板材３５に形成された切欠き３５ｂは軽量化と滑り止めを兼ねた切欠き３５ｂである。
【００２０】
固定部３２は、階段軸１４に嵌めて締め付ける構造である。つまり、断面四角形の階段軸１４に嵌る門型に形成され、上板３２ａと左右の側板３２ｂを有する。左右の側板３２ｂには、固定ボルト１６を挿入するための貫通穴３２ｃが複数形成されている。固定ボルト１６は階段軸１４を貫通するものであり、先端部にはナット１６ａが螺合される。
【００２１】
階段軸１４における固定部３２の貫通穴３２ｃに対応する直線上には、複数の固定穴１４ａが形成されている。固定穴１４ａは丸穴であるほか、仮想線で示したように長穴で構成して、位置調節可能にしてもよい。
【００２２】
固定部３２の上板３２ａには、角度可変保持部３３の一部を構成する板状の起立片３２ｄが形成されている。起立片３２ｄは側板３２ｂと平行に設けられ、適宜間隔をあけて２枚形成されている。これら起立片３２ｄの間に、踏み板部３１の垂下部３１ｂの下端部を保持して、角度可変保持部３３が形成される。
【００２３】
起立片３２ｄと垂下部３１ｂの間には、図４に示したように円筒状のスペーサ３６が介在されるとともに、ボルト３７とナット３７ａで回転可能な結合状態が得られる。つまり、ボルト３７が、角度可変保持部３３としての一方向可変保持部３３ａを構成する枢支軸５１であり、起立片３２ｄと垂下部３１ｂが、互いに対向して横方向に延びる枢支軸５１（ボルト３７）を中心に相対回転する複数の垂直支持板５２，５３である。
【００２４】
起立片３２ｄと垂下部３１ｂには、角度変更と保持のため調節穴群５４が形成されている。図２〜図４と、その他の図においては、調節穴群５４は便宜上仮想線で描いている。
【００２５】
調節穴群５４は図５に示したように構成されている。つまり、垂直支持板５２，５３としての起立片３２ｄと垂下部３１ｂには、枢支軸５１を中心とする同心円上に踏み板部３１と固定部３２を必要な角度にしたときに合致する複数の調節穴５５，５６が形成されるとともに、合致させた調節穴５５，５６に挿入する固定軸５７を備えている。固定軸５７はボルトで構成され、ナット５７ａを螺合することで調節穴５５，５６に保持される。
【００２６】
調節穴５５，５６としては２種類あり、一方の調節穴群５４ａが基準側の調節穴５５を有し、他方の調節穴群５４ｂが調節側の調節穴５６を有している。基準側の調節穴５５は、図５の左側に描いている。これは、垂直支持板５２，５３（起立片３２ｄと垂下部３１ｂ）のいずれに設けてもよいが、起立片３２ｄに設けるのが好ましい。
【００２７】
基準側の調節穴５５は、枢支軸５１を挿通する軸穴５４ｃの中心を中心とした直径の異なる２つの同心の円周ａ，ｂ上に配設されている。直径の大きい円周ａ上の調節穴５５は、一方の垂直支持板５２の高さ方向に延びる縦軸ｙと交わる２箇所と、幅方向に延びる横軸ｘと交わる２箇所の、いずれも軸穴５４ｃの中心を挟む合計４箇所にそれぞれ９０度の角度を隔てて形成されている。直径の小さい円周ｂ上の調節穴５５は、直径の大きい円周ａ上の横軸ｘの２箇所の調節穴５５のうちの一方（図５では縦軸ｙより左側）の内周側位置に１個形成されている。
【００２８】
調節側の調節穴５６は、図５の右側に示したように、前述の基準側の調節穴５５を並べる直径の異なる２つの円周ａ，ｂ上における縦軸ｙ又は横軸ｘから所定の角度の位置に形成されている。所定角度とは、所望の角度調節範囲内における所望の角度に応じて設定される。図示例では、２５度〜６０度の範囲内で５度ずつ角度調節できるようにしている。つまり、２５度、３０度、３５度と、６０度までの８個の調節穴５６が形成されている。これら調節穴５６の配置は円周の大きさと調節穴５６の大きさ、同一角度の調節穴５６の数などの条件に応じて適宜なされるが、図５に示した一例を説明すると、次のとおりである。
【００２９】
図５では、同一角度の調節穴５６の数を１個とし、調節側の調節穴５６を有する垂直支持板５３が図５に矢印ｄ１で示す右方向に相対回転するときの調節穴５６の位置を示している。具体的には、横軸ｘと縦軸ｙで分割される４区画のうち、直径の大きい円周ａ上における横軸ｘより上で縦軸ｙよりも右側であって、横軸から反矢印方向（左方向）に３０度と５５度となる２箇所に調節穴５６が形成されている。直径の大きい円周ａ上における横軸ｘより上で縦軸ｙよりも左側には、縦軸から反矢印方向に２５度と５０度となる２箇所に調節穴５６が形成されている。直径の大きい円周ａ上における横軸ｘより下で縦軸ｙよりも左側には、横軸ｘから反矢印方向に３５度と６０度となる２箇所に調節穴５６が形成されている。直径の大きい円周ａ上における横軸ｘより下で縦軸ｙよりも右側には、縦軸ｙから反矢印方向に４０度となる１箇所に調節穴５６が形成されている。直径の小さい円周ｂ上における横軸ｘより下で縦軸ｙよりも左側には、横軸ｘから反矢印方向に５５度となる１箇所に調節穴５６が形成されている。これは、基準側の調節穴５５のうち直径の小さい円周ｂ上の調節穴５５を、直径の大きい円周ａ上の幅（横）方向の２箇所の調節穴５５のうちの縦軸ｙより左側の内周側位置に形成したからであり、基準側の調節穴５５の位置によって形成位置は変更され得る。
【００３０】
これらの調節穴５６の近傍には、たとえば図示したように「２５度」などと、何度の穴であるかが判る適宜の識別符号５６ａを付しておくとよい。
【００３１】
このような調節穴群５４を備えた垂直支持板５２，５３、つまり起立片３２ｄと垂下部３１ｂの角度調節状態を図６に示す。図６の（ａ）は、調節範囲のうちの最も角度の小さい２５度にした例を示している。つまり、基準側の調節穴５５のうち縦軸ｙ上の上側に位置する調節穴５５と、調節側の調節穴５６のうち縦軸ｙから矢印ｄ１方向（図５参照）と反対方向に２５度の位置に形成された調節穴５６とが合致し、これらに固定軸５７を保持してナット５７ａを締結することで、垂直支持板５２，５３（起立片３２ｄと垂下部３１ｂ）の角度が２５度に保持される。
【００３２】
図６の（ｂ）は、調節範囲のうちの最も角度の大きい６０度にした例を示している。つまり、基準側の調節穴５５のうち横軸ｘ上の左側に位置する調節穴５５と、調節側の調節穴５６のうち横軸ｘから矢印ｄ１方向（図５参照）と反対方向に６０度の位置に形成された調節穴５６とが合致し、これらに固定軸５７を保持してナット５７ａを締結することで、垂直支持板５２，５３（起立片３２ｄと垂下部３１ｂ）の角度が６０度に保持される。
【００３３】
これらのように、垂直支持板５２，５３（起立片３２ｄと垂下部３１ｂ）のなす角度を２５度から６０度まで５度刻みで変更した場合に、合致する調節穴５５，５６ができることになる。このような角度可変保持部３３は、角度調節する向きが踏み板部３１との関係で適切になるように起立片３２ｄと垂下部３１ｂに形成される。
【００３４】
図７に、図２に示した法面ステップ１１の拡大図を示す。この法面ステップ１１の角度可変保持部３３は、起立片３２ｄと垂下部３１ｂのなす角度を５５度に保持した例である。このように、法面ステップ１１は踏み板部３１の踏み面３１ａの角度を、例えば水平など、法面１３の角度に関わらず所定の角度にすることができる。固定軸５７を保持して行う踏み面３１ａの角度調節は、図８に示したように、階段軸１４に固定部３２を固定する前に行っても、固定部３２を固定した後に行っても、いずれでもよい。また階段軸１４の固定も、法面ステップ１１を固定する前に行っても、法面ステップ１１を固定してから行っても、いずれでもよい。
【００３５】
前述のように角度可変保持部３３は、５度刻みで調節できるものであり、より細かい角度調節ができるようにするには、前述した構成の調節穴群５４の形成において、５度刻みではなく、３度刻みや２度刻み、１度刻みで調節できるように構成してもよい。
【００３６】
このほか、前述の５度刻みの角度可変保持部３３に加えて、図９に示したように細かな調整ができる一方向可変保持部３３ａである角度可変保持部３８を備えてもよい。つまり、０度〜４度まで１度刻みで調節できるように、基準側の調節穴群５４ｄと調節側の調節穴群５４ｅをそれぞれ形成している。
【００３７】
基準側の調節穴群５４ｄは、図９中左側に描いており、基準側の調節穴５８は、直径の大きい円周ａと小さい円周ｂが縦軸ｙと横軸ｘに交わる交点位置に、合計８個形成されている。調節側の調節穴群５４ｅは図９中右側に描いており、調節側の調節穴５９は、直径の小さい円周ｂと縦軸ん及び横軸ｘの交点の４カ所と、直径の大きい円周ａと縦軸ｙ又は横軸ｘから一方向に所定の角度の位置の４カ所に形成されている。図９の例では、調節側の調節穴５９が図９に矢印ｄ２で示す右方向に相対回転するときの調節穴５９の位置を示している。
【００３８】
直径の大きい円周ａ上に形成される調節穴５９は、縦軸ｙ又は横軸ｘから矢印ｄ２と反対方向、つまり左方向に１度〜４度の各位置に互いに重ならないように配設されている。調節側の調節穴５９の近傍には、角度を示す識別部合５９ａを形成するとよい。このような構成では、調節側の調節穴５９が図９に矢印ｄ２で示した右方向に相対回転したときであって、１度回転した時には１度の調節穴５９が基準側の調節穴５５と合致し、同様に２度回転した時、３度回転した時、４度回転した時はそれぞれ２度、３度、４度の調節穴５５が基準側の調節穴５５と合致する。図１０に示した例は、２度回転した時の例である。
【００３９】
角度を０度とする場合には、直径の小さい円周ｂ上の４個の調節穴５５，５６がすべて合致することになる。傾けることが不要な場合には、合致する４個の調節穴５５，５６の組み合わせのいずれかに固定軸５７を保持する。
【００４０】
直径の小さい円周ｂ上の調節穴５５，５６は適宜箇所に１個形成するものであってもよい。
【００４１】
前述のような角度調節の粗い角度可変保持部３３と細かい角度可変保持部３８の組み合わせは、図１１に示すように構成すると簡素に実現できる。
【００４２】
つまり、垂直支持板５２ａ，５２ｂ，５３として、前述の垂下部３１ｂと起立片３２ｄのほかに、連結板３９を備える。この連結板３９の下端部に角度調節の粗い角度可変保持部３３の調節側の調節穴５６を形成し、上端部に角度調節の細かい角度可変保持部３８の調節側の調節穴５９を形成する。そして、垂下部３１ｂの下端部には、角度調節の細かい角度可変保持部３８の基準側の調節穴５８を形成し、起立片３２ｄには、角度調節の粗い角度可変保持部３８の基準側の調節穴５５を形成する。
【００４３】
図１２が、２種類の角度可変保持部３３，３８を備えて１度刻みで角度変更を可能にした法面ステップ１１の分解斜視図である。図１３にも示したように、起立片３２ｄは１枚として、垂下部３１ｂと起立片３２ｄを挟むように連結板３９を備える。連結板３９と垂下部３１ｂ又は起立片３２ｄとの間には、スペーサ３６が介装される。
【００４４】
このように１度刻みで角度変更可能であると、階段軸１４の勾配が５度刻みでは踏み面３１ａを水平にできない角度（５ｎ±α°。ただし、ｎは１〜１２までの自然数）の場合であっても、図１４に示したように、踏み面３１ａを水平にすることができる。
【００４５】
なお、起立片３２ｄと垂下部３１ｂは、１枚である構成するほか、図１５、図１６に示したように、適宜間隔を隔てて２枚で構成してもよい。
【００４６】
また、階段軸１４は、図１７、図１８に示したように、適宜の連結部材１４ｂで連結される。図１７に示したように一直線上に真っ直ぐ連結するほか、図１８に示したように法面の形状に等に対応させるなど適宜の角度に連結するものであってもよい。
【００４７】
連結部材１４ｂには、図２に示したように、法面ステップ１１の踏み板部と同様のステップ部材１７を固定することもできる。この場合には必要に応じて連結部材１４ｂに対して角度可変保持可能にしてもよい。図２の法面１３の下部における階段軸１４の下端を固定する部位にも、必要に応じて法面ステップ１１の踏み板部と同様のステップ部材１８を固定することもできる。この場合も必要に応じて階段軸１４に対して角度可変保持可能にしてもよい。
【００４８】
固定部３２は、階段軸１４に固定しない場合など、平らな面に固定する場合には、図１９に示したように適宜形状の平板状に形成して、固定のためにアンカーボルト１５を通す貫通穴３２ｅを備えてもよい。
【００４９】
つぎに、図２０に示したように固定部３２が法面１３に直接固定されるものであるとともに、角度可変保持部３３が全方向可変保持部３３ｂである例を説明する。この説明において前述の構成と同一の部位については同一の符号を付してその詳しい説明を省略する。
【００５０】
全方向可変保持部３３ｂは、踏み板部３１の下端部に形成され、上下方向に延びる支持軸部７１を通す水平支持板７２と、水平支持板７２の上下に配置されるとともに支持軸部７１に固定される一組の自在締結具７３で構成されている。
【００５１】
踏み板部３１は、図２１に示したように平面視長方形状の板材３５と、この板材３５の下面に垂設された垂下部３１ｂを有する。垂下部３１ｂは間隔をあけて複数本に形成され、これの下端部に前述の水平支持板７２が形成されている。水平支持板７２は平面視円形であり、中央には前述の支持軸部７１を通す貫通穴７２ａを有している。貫通穴７２ａは、水平支持板７２の中央に１個形成される。貫通穴７２ａの周囲は、自在締結具７３の水平移動を許容する広さを有する。
【００５２】
固定部３２は、法面１３に接触状態で固定されるものであり、図２０、図２２に示したように、具体的には法面１３に打ちこまれて杭として機能する前述の支持軸部７１と、法面１３に接してめり込みを防ぐ支持プレート４１を有する。支持軸部７１は適宜長さに形成され、上側部分には雄ねじ７１ａが形成されている。また、法面１３に打ち込まれる下側部分には、打ち込んだ支持軸部７１の傾きを防止する複数の定着片７１ｂが形成されている。定着片７１ｂは、図２３に示したように平面視Ｔ字状であるとよい。そのほか、周囲との接触抵抗を増大して変位を防ぐ適宜の形状に形成することもできる。
【００５３】
支持プレート４１は、平面視円形の板状であり、中央に支持軸部７１の上側部分を貫通させる貫通穴４１ａを有している。
【００５４】
支持軸部７１の上側部分に固定される前述の自在締結具７３は、図２２、図２４に示したように、座金部材７４と、介装部材７５と、ナット部材７６で構成される。座金部材７４は、水平支持板７２に当接する当接面７４ａと半球状の凸球面７４ｂを有する。凸球面７４ｂは、図２５に示したように当接面７４ａの内周縁から形成され、凸球面７４ｂの頂部には貫通穴７４ｃが形成されている。貫通穴７４ｃは当接面７４ａの内径よりも小径であるが、支持軸部７１に遊嵌する大きさである。
【００５５】
介装部材７５は、支持軸部７１の直径よりも大径の貫通穴７５ａを有し座金部材７４の凸球面７４ｂに沿って全方向に摺動する環状体である。
【００５６】
ナット部材７６は、支持軸部７１に螺合して介装部材７５と座金部材７４を水平支持板７２に対して締め付けるものであり、既製のナットを使用できる。
【００５７】
このような自在締結具７３を構成するのと同じ座金部材７４と介装部材７５とナット部材７６からなる自在締結具４２を、前述の支持プレート４１の上にも固定する。支持プレート４１は、ナット（図示せず）を螺合して押さえつけるように位置決めしてもよいが、自在締結具４２を用いることによって、支持軸部７１と支持プレート４１が直交しない状態、つまり、法面１３に対して真っ直ぐに打ち込めない場合でも、より強固に安定して固定できる。
【００５８】
基本的には以上のように構成された全方向可変保持部３３ｂを有した法面ステップ１１は、図２６に示したように、踏み板部３１の下部に、水平方向に突出する軸取付け部材４５を備えてもよい。軸取付け部材４５は、上下方向に延びる軸部材４６を取り付けるものであり、その軸部材４６は、図２７に示したように、下方に延びて法面１３に挿入される固定杭部４６ａと、上方に延びて上端部が手摺となる手摺軸部４６ｂの両方を有するものである。
【００５９】
図２６は、軸部材４６を有する軸取付け部材４５を備えた踏み板部３１の平面図であり、図２７はその側面図である。図２６の（ａ）に示したように、平面視長方形の踏み板部３１を横長にした状態でも、（ｂ）に示したように横長にした状態でも、必要な方向に軸取付け部材４５を突出させる。
【００６０】
軸取付け部材４５は、帯状に形成された金属板で構成され、図２７に示したように、踏み板部３１の垂下部３１ｂにボルトナットなどで固定され、先端に軸部材４６を高さ調節可能に保持する保持部４５ａを有する。
【００６１】
軸部材４６は、下側部分に前述の固定杭部４６ａを、上側部分に前述の手摺軸部４６ｂを有している。固定杭部４６ａは、法面１３に打ちこまれるもので、周面に適宜形状の定着片７１ｂが形成されている。固定杭部４６ａには、固定部３２と同様に支持プレート４１と自在締結具４２を有する。固定杭部４６ａは、図２７に示したように、山側に打ちこまれると安定性が高まるのでよい。手摺軸部４６ｂは、上下方向に延び高さ調節可能であり、上端に手摺部４７を有している。高さ調節のための構成は例えば高ナットと雄ねじ構成できる。手摺部４７は、手摺軸部４６ｂの上端に、短管などの部材を固定して構成できる。
【００６２】
固定杭部４６ａは、図２８に示したように複数備えてもよい。この場合には、軸取付け部材４５を上下方向に複数並べて固定するとよい。
【００６３】
軸部材４６は、前述のように固定杭部４６ａと手摺軸部４６ｂを有するもののほか、これらのうちいずれか一方のみを有するものとしてもよい。法面１３の状況など必要に応じて適宜の態様に組み立てることができる。
【００６４】
図２９は踏み板部３１の片側断面平面図であり、水平支持板７２には、複数の貫通穴７２ａを備えている。この図に示すように複数の貫通穴７２ａを備えて、固定部３２と全方向可変保持部３３ｂを複数備えると、強固な固定ができる。
【００６５】
なお、このような固定部３２と全方向可変保持部３３ｂの構成を、図３０に示したように前述した例の階段軸１４の固定に使用してもよい。図中、４８は、階段軸１４を支持する支持金具である。
【００６６】
また、全方向可変保持部３３ｂの構成を、図３１に示したように階段軸１４に固定される法面ステップ１１の角度可変保持部３３に使用してもよい。
【００６７】
以上のように構成された法面ステップ１１は、固定部３２を階段軸１４や法面１３に対して１個ずつ固定するとともに、踏み板部３１の踏み面３１ａを法面１３に対して適宜の角度に設定する。固定部３２を階段軸１４に固定する場合には、前述のように階段軸１４を法面１３に固定してからその階段軸１４に法面ステップ１１を固定しても、法面１３に階段軸１４を固定する前に階段軸１４に対して法面ステップ１１を固定してもよい。固定部３２を法面１３に直接固定する場合には、必要な個所に１個ずつ固定を行う。
【００６８】
法面ステップ１１は１個ずつ固定できるものであるので、法面１３の勾配に対して直登する方向はもちろん、勾配に対して斜めに上る方向にも、状況に応じて自由に設置できる。
【００６９】
固定部３２を固定と踏み板部３１の踏み面３１ａの角度の設定は、状況に応じていずれを先に行ってもよいが、これらに際しては、隣接する踏み板部３１同士の間隔や高低差を考慮する。間隔や高さの調整は、主として、階段軸１４を利用しての場合には固定穴１４ａの位置の設定や固定穴１４ａを長穴で構成した場合に長穴における位置の調整で行い、法面１３に直接固定する場合には固定する位置の選択で行う。部材の大きさの異なるものを使用して高さ等の調整を行ってもよい。
【００７０】
角度可変保持部３３が前述の一方向可変保持部３３ａである場合には、踏み板部３１を所望の角度に傾けてから固定軸５７を合致した調節穴５５，５６に挿通してナット５７ａで締めて角度を設定する。
【００７１】
角度可変保持部３３が前述の全方向可変保持部３３ｂである場合には、踏み板部３１を所望の角度になるように支持軸部７１に対して変位させて、所望の角度にした時点で自在締結具７３による締め付けを行って固定する。
【００７２】
このように、踏み板部３１と固定部３２を有し１個ずつ固定可能な法面ステップ１１自体に角度可変保持部３３を有する上に、法面１３に直接固定することも階段軸１４を介して固定することもできるので、法面ステップ１１の設置自由度が高く、角度調節がより適切に行える。また、現場に部品を搬入してその場で組み立てるようにして法面階段１２を形成できる。このため、法面１３の状況に応じて適切な法面階段１２を形成できる。たとえ法面１３の条件が悪くても法面階段１２を簡単に形成できる。
【００７３】
しかも、角度可変保持部３３と固定部３２は機能上独立しているので、いずれかの機能を発揮させる時に他方の構成が邪魔になることはなく、固定と角度調節の手順も自由であるので、作業性が良好で確実である。
【００７４】
角度可変保持部３３が一方向可変保持部３３ａである場合には、特に階段軸１４を用いるときのようにある角度で固定される階段軸１４に合わせて、機械的に踏み面３１ａの角度を設定できるので、作業性を高められる。しかも、一方向可変保持部３３ａを複数の垂直支持板５２，５３と固定軸５７を用いて構成したので、角度調節は垂直支持板５２，５３を回転させて固定軸５７を差し込むだけであるので、この点でも作業性は良好である。
【００７５】
角度可変保持部３３が全方向可変保持部３３ｂである場合には、特に法面１３に直接固定する場合に、確実に対応できるようにすることができる。このため、法面１３の状況に合わせて、不必要に法面１３を傷つけずに法面階段１２を形成できる。しかも、全方向可変保持部３３ｂを水平支持板７２と自在締結具７３を用いて構成したので、細かな調節も可能であり柔軟性が高いので、適用範囲を広げることができる。
【００７６】
踏み板部３１の下部に軸取付け部材４５を備えると、固定強度や昇降動作の安全性等を高めることができる。つまり、軸取付け部材４５に固定杭部４６ａとなる軸部材４６を備えると、固定部３２に並んで固定杭部４６ａが法面１３に固定されることになるので、固定強度を高めることができる。軸取付け部材４５に手摺軸部４６ｂとなる軸部材４６を備えると、法面階段１２を昇降する者が支えとすることができるので、昇降動作の安全をはかることができる。
【００７７】
以上の構成はこの発明を実施するための一形態であって、この発明は前述の構成のみに限定されるものではなく、その他の構成を採用することもできる。
【００７８】
角度可変保持部３３には、例えば自在継手とこれの角度を保持する機構など、前述の構成以外のものを採用することができる。
【００７９】
軸取付け部材４５は、前述の説明では、全方向可変保持部３３ｂを備えた法面ステップ１１に備えたが、一方向可変保持部３３ａを備えた法面ステップ１１に備えることもできる。
【００８０】
法面１３に添わせる部材は、前述のような階段軸ではなく、法面に固定したレールやプレートなどであってもよい。
【００８１】
一方向可変保持部３３ａの調節穴群５４を構成する調節穴５５，５６，５８，５９の配置は、例えば一つの角度で複数本の固定軸５７を固定するようにするなど、前述の一例以外の多様な配置にすることができる。
【符号の説明】
【００８２】
１１…法面ステップ
１２…法面階段
１３…法面
１４…階段軸
３１…踏み板部
３１ａ…踏み面
３２…固定部
３３，３８…角度可変保持部
３３ａ…一方向可変保持部
３３ｂ…全方向可変保持部
４５…軸取付け部材
４６…軸部材
４６ａ…固定杭部
４６ｂ…手摺軸部
５１…枢支軸
５２，５２ａ，５２ｂ，５３…垂直支持板
５５，５６，５８，５９…調節穴
５７…固定軸
７１…支持軸部
７２…水平支持板
７３…自在締結具
７４…座金部材
７４ａ…当接面
７４ｂ…凸球面
７５…介装部材
７５ａ…貫通穴
７６…ナット部材
【図１】
2019019485.tif 000003
【図２】
2019019485.tif 000004
【図３】
2019019485.tif 000005
【図４】
2019019485.tif 000006
【図５】
2019019485.tif 000007
【図６】
2019019485.tif 000008
【図７】
2019019485.tif 000009
【図８】
2019019485.tif 000010
【図９】
2019019485.tif 000011
【図１０】
2019019485.tif 000012
【図１１】
2019019485.tif 000013
【図１２】
2019019485.tif 000014
【図１３】
2019019485.tif 000015
【図１４】
2019019485.tif 000016
【図１５】
2019019485.tif 000017
【図１６】
2019019485.tif 000018
【図１７】
2019019485.tif 000019
【図１８】
2019019485.tif 000020
【図１９】
2019019485.tif 000021
【図２０】
2019019485.tif 000022
【図２１】
2019019485.tif 000023
【図２２】
2019019485.tif 000024
【図２３】
2019019485.tif 000025
【図２４】
2019019485.tif 000026
【図２５】
2019019485.tif 000027
【図２６】
2019019485.tif 000028
【図２７】
2019019485.tif 000029
【図２８】
2019019485.tif 000030
【図２９】
2019019485.tif 000031
【図３０】
2019019485.tif 000032
【図３１】
2019019485.tif 000033